(57)【特許請求の範囲】
【請求項１】
仕切壁にて区画された沈殿室と貯水室とを内部に備えた貯水タンクを有し、雨水や浴室排水等汚濁度の低い再利用可能な排水を回収して前記沈殿室内に流入させた後、上澄液をオーバーフローにより前記仕切壁を越えて前記貯水室内に流入させ且つ貯溜し、該貯水室内の貯溜水を利用先に供給するようになした中水設備であって、
前記仕切壁の上端部にオーバーフロー用の貫通の開口を設けるとともに、該開口の下流隣接位置に、切欠きを有する容器状の薬剤溶出器を設置して該開口からのオーバーフロー水を該薬剤溶出器内に流入させた上、該切欠きを通過して前記貯水室へと落下させるようになし、且つ該薬剤溶出器内には固形殺菌剤を内部に充填した薬筒の下部を浸漬させて、該固形殺菌剤を該薬剤溶出器のオーバーフロー水中に溶出させるようになしたことを特徴とする中水設備。
【発明の詳細な説明】
【０００１】
【発明の属する技術分野】
この発明は雨水や浴室排水等汚濁度の低い再利用可能な排水を回収して貯水タンクに貯え、これを中水として各種利用先に、例えばトイレの洗浄水として、また洗車用の水として、或いは庭の散水用の水等として供給するための中水設備に関する。
【０００２】
【発明の背景】
近年、雨水や浴室排水等汚濁度の低い排水を回収して貯水タンクに貯え、そしてその貯えた汚濁度の低い排水を中水としてトイレの洗浄水として、また洗車用の水として或いは庭の散水用の水等として各種利用先に供給するといったことが考えられている。
【０００３】
そのための中水設備として、貯水タンク内部を仕切壁にて沈殿室と貯水室とに区画し、汚濁度の低い上記排水を回収して先ず沈殿室内に流入させた後、その上澄液をオーバーフローにより仕切壁を乗り越えて貯水室内に流入させ、そしてその貯水室内に貯溜した中水を利用先に供給するようになしたものが提案されている。
【０００４】
図６はその中水設備として考えられているものの一例を示したもので、図中２００は貯水タンクで、２０２は流入口、２０４は流出口である。
２０６は貯水タンク２００内部に設けられた仕切壁であって、この仕切壁２０６により、貯水タンク２００内部が上流側の沈殿室２０８と下流側の貯水室２１０とに区画されている。
【０００５】
２１２は貯水室２１０内の貯溜水（中水）を汲み上げるポンプであって、このポンプ２１２により汲み上げられた貯溜水が上記例示した各種利用先へと供給される。
尚、この例では上水の供給管２１４を通じて貯水室２１０内に上水を供給できるようになしてある。
【０００６】
ここで沈殿室２０８は、流入口２０２から流入して来た排水中に含まれる砂や汚れ等を沈殿させて除去処理するための室で、この沈殿室２０８はまた、内部に一定量の水を常に貯えておくことで、土中に埋めた貯水タンク２００内部が空となり、土圧で貯水タンク２００が損傷するのを防止する働きを有している。
【０００７】
ところで、この中水設備にあっては各種利用先に供給する水を殺菌しておくことが必要である。
その殺菌処理方法としては各種の方法が考えられるが、固形殺菌剤２１８（図７（Ｂ）参照）を内部に充填した薬筒２１６を水中に浸漬させて固形殺菌剤２１８を水中に溶出させる方法が、コスト的に安いことから好適に用いられる。
図６（Ａ）はその一例として、薬筒２１６を沈殿室２０８内の水中に浸漬させ、内部の固形殺菌剤２１８を沈殿室２０８内の水中に溶出させるようになした例である。
【０００８】
しかしながらこのようにした場合、例えば流入水が殆どないとき、薬筒２１６内の固形殺菌剤２１８が時間の経過とともにどんどん沈殿室２０８内の水中に溶出して行き、この結果沈殿室２０８内の水中及びこれに続く貯水室２１０内の貯溜水中の殺菌剤濃度が不必要に高くなり過ぎてしまう問題が生ずる。
【０００９】
一方図６（Ｂ）の例は、貯水室２１０内の貯溜水中に薬筒２１６を浸漬させ、固形殺菌剤２１８をその貯溜水中に溶出させるようになした例である。
しかしながら、貯水室２１０内の水位は流入水の流入量の変動或いはポンプ２１２による貯水室２１０内の貯溜水の汲上げによって上下に大きく変動し、従って貯溜水に対する薬筒２１６の浸漬深さも上下に変動し、これに伴って固形殺菌剤２１８の溶出量が大きく変動し、各種利用先に送られる貯溜水の殺菌剤濃度が大きくばらついてしまう問題を生ずる。
【００１０】
他方図７（Ａ）の例は、仕切壁２０６の上端部に水平な載置プレート２２０を設けてそこに薬筒２１６を縦向きに置き、沈殿室２０８内の水が仕切壁２０６を越えて貯水室２１０内にオーバーフローする際に、そのオーバーフロー水に対して薬筒２１６を接触させ、内部の固形殺菌剤２１８をオーバーフロー水中に溶出させるようにした例である。
【００１１】
しかしながらこの場合においても固形殺菌剤２１８の溶出量は、貯水タンク２００内への雨水等排水の流入量の変動によって大きく左右される。
即ちオーバーフロー水と薬筒２１６との接触時間が短いことから、流入量が大であってオーバーフロー水の水量が多量であるときには貯溜水中の殺菌剤濃度が低くなり、また逆に流入量が小であってオーバーフロー水の水量が小量のときには相対的に殺菌剤濃度が高くなってしまう問題を生ずる。
【００１２】
【課題を解決するための手段】
本発明の中水設備はこのような課題を解決するために案出されたものである。而して本発明の中水設備は、仕切壁にて区画された沈殿室と貯水室とを内部に備えた貯水タンクを有し、雨水や浴室排水等汚濁度の低い再利用可能な排水を回収して前記沈殿室内に流入させた後、上澄液をオーバーフローにより前記仕切壁を越えて前記貯水室内に流入させ且つ貯溜し、該貯水室内の貯溜水を利用先に供給するようになした中水設備であって、前記仕切壁の上端部にオーバーフロー用の貫通の開口を設けるとともに、該開口の下流隣接位置に、切欠きを有する容器状の薬剤溶出器を設置して該開口からのオーバーフロー水を該薬剤溶出器内に流入させた上、該切欠きを通過して前記貯水室へと落下させるようになし、且つ該薬剤溶出器内には固形殺菌剤を内部に充填した薬筒の下部を浸漬させて、該固形殺菌剤を該薬剤溶出器のオーバーフロー水中に溶出させるようになしたことを特徴とする。
【００１３】
【作用及び発明の効果】
以上のように本発明は、沈殿室の水を仕切壁の上端部に設けた貫通の開口からその下流隣接位置に設置した薬剤溶出器内へとオーバーフローさせ、更にその薬剤溶出器の切欠きを通じてオーバーフロー水を貯水室へと落下させるようになすとともに、薬剤溶出器内に薬筒を浸漬させて薬剤溶出器を通過して流れるオーバーフロー水中に固形殺菌剤を溶出させるようになしたもので、本発明によれば、貯水室内の貯溜水の殺菌剤濃度を一定に保持することが可能となる。
【００１４】
本発明においては、貯水タンクへの排水の流入量が大のとき、つまりオーバーフロー水の水量が大であると、薬剤溶出器の有する流れの抵抗作用によってその内部のオーバーフロー水の水位が高まる一方、流入量が小のとき、つまりオーバーフロー水の水量が小のときには薬剤溶出器内のオーバーフロー水の水位が低くなる。
そしてその水位の変動に応じて、固形殺菌剤の溶出量が変化する。
【００１５】
具体的には、オーバーフロー水の水量が大であって薬剤溶出器内のオーバーフロー水の水位が高いときには固形殺菌剤の溶出量が多くなり、またオーバーフロー水の水量が小であって薬剤溶出器内のオーバーフロー水の水位が低いときには固形殺菌剤の溶出量も少なくなる。
【００１６】
そして本発明では、薬剤溶出器の切欠きの大きさを適度に調整することによって、貯水室内の貯溜水中の殺菌剤濃度をほぼ一定に保持することが可能となる。また固形殺菌剤がほぼ一定の濃度で水中に溶出して行くため、固形殺菌剤の補充の時期が分り易く、固形殺菌剤の補充作業が容易になるとともに、貯溜水中の殺菌剤濃度がほぼ一定化するので、殺菌剤濃度が過度に高くなることによるポンプ腐食，配管腐食等を防止することができる。
【００１７】
【実施例】
次に本発明の実施例を図面に基づいて詳しく説明する。
図１は本例の中水設備を示したもので、図中１０は貯水タンクであり、流入口１２と流出口１４とを有している。
１６は貯水タンク１０内部に設けられた仕切壁で、この仕切壁１６により貯水タンク１０内部が上流側の沈殿室１８と下流側の貯水室２０とに区画されている。
【００１８】
２２は貯水室２０内部に貯溜されている貯溜水（中水）を外部に汲み出すポンプで、このポンプにより貯水室２０内部の貯溜水が各種利用先に、例えばトイレの洗浄水として或いは洗車用の水として、更には庭の散水用の水等として供給される。
尚、２４は上水を貯水タンク１０内に供給するための供給管で、２６はその供給管２４上に設けられた開閉弁である。
【００１９】
本例においては、仕切壁１６の上端部にオーバーフロー用の貫通の開口２８が設けられており、更にその開口２８の下流隣接位置に容器状の薬剤溶出器３０が設置されている。
そしてその薬剤溶出器３０内に薬筒３２が垂直向きに置かれている。
【００２０】
図２はその薬剤溶出器３０周辺部を拡大して具体的に表したものである。
同図に示しているように、薬筒３２は円筒状をなしていてその内部に複数のディスク状の固形殺菌剤（この例では固形塩素剤）３４が段積状態に充填されている。
薬筒３２は下端面が開放形状をなしており、更に下端部には略Ｕ字状をなす切欠き３６が形成され、その下端面の開放部及び切欠き３６を通じて内部の固形殺菌剤３４が外部に露出している。
【００２１】
薬剤溶出器３０は、側板３８Ａ，３８Ｂ，３８Ｃ，３８Ｄ及び底板４０を有する、全体として四角容器状をなしており、その側板３８Ａと仕切壁１６を貫通する状態で上記開口（ここでは円形の開口）２８が形成されている。
そしてこの開口２８に対向する側板３８Ｃに、開口２８から薬剤溶出器３０内に流入したオーバーフロー水を下方の貯水室２０へと落下させるための切欠き４２が形成されている。
ここで切欠き４２は、薬剤溶出器３０の全高に亘って均等な幅Ｗで形成されている。
【００２２】
尚、本例において開口２８の大きさはφ１００ｍｍ，薬剤溶出器３０の幅Ｌ１，Ｌ２はそれぞれ１５０ｍｍ，１１０ｍｍ、高さＨは８０ｍｍ、切欠き４２の幅Ｗは５５ｍｍとされている。
【００２３】
本例の場合、沈殿室１８内の水は円形の開口２８を通じて薬剤溶出器３０内部に流れ込み、そしてその薬剤溶出器３０を流動した上、開口２８とは反対側の側板３８Ｃに設けた切欠き４２を通じて貯水室２０へと落下する。
即ち沈殿室１８内の水が薬剤溶出器３０を通過して貯水室２０へとオーバーフローする。
【００２４】
図３はその際の様子を模式的に表したものである。
同図に示しているようにオーバーフロー水が薬剤溶出器３０を通過して貯水室２０内に流れ込む際、その薬剤溶出器３０が流れの抵抗体として働くことによって、その薬剤溶出器３０内の水位はオーバーフロー水の大小に応じて高低変化する。
具体的には、オーバーフロー水が少量であるときには図３（Ａ）に示しているように薬剤溶出器３０内の水位は低く、逆にオーバーフロー水の水量が多いときには図３（Ｂ）に示しているように薬剤溶出器３０内の水位は高くなる。
【００２５】
そしてこれに伴って薬剤溶出器３０内部のオーバーフロー水に浸漬する薬筒３２内の固形殺菌剤３４の浸漬量は、図３（Ａ）に示すようにオーバーフロー水が少量、即ち薬剤溶出器３０内の水位が低いときには小となり、また逆に図３（Ｂ）に示しているようにオーバーフロー水の水量が多く、薬剤溶出器３０内の水位が高いときには大となる。
そしてこれに伴ってオーバーフロー水が少量であるときには固形殺菌剤３４の溶出量が少なくなり、またオーバーフロー水の水量が多いときには固形殺菌剤３４の溶出量も大となる。
【００２６】
図４は、図２に示す薬剤溶出器３０を設置した場合において、オーバーフロー水の水量（流量）を変化させたときの貯水室２０内の貯溜水の殺菌剤濃度及び薬剤溶出器３０内の水位の変化を測定した結果をグラフ化して表したものである。尚図４では、側板３８Ｃ全体を無くして薬剤溶出器３０における開口２８とは反対側の面を全面的に開放したときの測定値も併せて示している。
【００２７】
図４に示しているように、薬剤溶出器３０を設けた場合においてその内部の水位がオーバーフロー水の水量とともに上昇すること、また切欠き４２の幅Ｗを調整することによって薬剤溶出器３０内の水位を調整できること、併せて切欠き４２の幅Ｗを適当な幅に選定することによって、殺菌剤濃度(残留塩素濃度)をオーバーフロー水の水量の大小に拘らずほぼ一定にできること等が分る。
【００２８】
このように本例によれば、薬剤溶出器３０の切欠き４２の大きさを適度に調整することによって、貯水室２０内の貯溜水中の殺菌剤濃度を一定に保持することが可能となる。
また固形殺菌剤３４がほぼ一定の濃度で水中に溶出して行くため、固形殺菌剤３４の補充の時期が分り易く、固形殺菌剤３４の補充作業が容易になるとともに、貯溜水中の殺菌剤濃度がほぼ一定化するので、殺菌剤濃度が過度に高くなることによるポンプ腐食，配管腐食等を防止することができる。
【００２９】
以上本発明の実施例を詳述したがこれはあくまで一例示である。
例えば図５に示しているように薬剤溶出器３０における側板３８Ｃに切欠き４２を設けるのに代えて、側板３８Ｄに切欠き４２を設けてそこから薬剤溶出器３０内のオーバーフロー水を貯水室２０へと落下させるようになすこと、更にはその切欠き４２を別の箇所に設けたり、また切欠き４２の形態を様々に変更することも可能であるなど、本発明はその主旨を逸脱しない範囲において種々変更を加えた形態で構成可能である。
【図面の簡単な説明】
【図１】本発明の一実施例である中水設備を示す図である。
【図２】図１における薬剤溶出器とその周辺部を拡大して示す図である。
【図３】図２の薬剤溶出器の作用の説明図である。
【図４】図２の薬剤溶出器を設けた場合において、オーバーフロー水の水量を変化させたときの殺菌剤濃度と水位との関係を表した図である。
【図５】本発明の他の実施例の要部を示す図である。
【図６】本発明の特徴を明らかにするために示した比較例図である。
【図７】図６とは異なる例を示す比較例図である。
【符号の説明】
１０  貯水タンク
１６  仕切壁
１８  沈殿室
２０  貯水室
２８  開口
３０  薬剤溶出器
３２  薬筒
３４  固形殺菌剤
４２  切欠き
【図１】
0004168309.tif 000002
【図２】
0004168309.tif 000003
【図３】
0004168309.tif 000004
【図４】
0004168309.tif 000005
【図５】
0004168309.tif 000006
【図６】
0004168309.tif 000007
【図７】
0004168309.tif 000008